(57)【要約】【課題】  誘導磁極を支持する電動機のロータの構造を簡素化して強度を高める。【解決手段】  第１、第２電機子を有して回転磁界を形成するステータと、第１、第２永久磁石を有するインナーロータとの間に配置されるアウターロータ１３は、軟磁性体製の第１、第２誘導磁極３８Ｌ，３８Ｒを埋め込むように支持するロータボディ３１を備える。第１誘導磁極３８Ｌの位相と第２誘導磁極３８Ｒの位相とは一致しており、ロータボディ３１に軸線Ｌ方向に形成した直線状のスリット３１ａに挿入されて組み付けられる。このように、第１、第２誘導磁極３８Ｌ，３８Ｒを軸線Ｌ方向に整列させたので、アウターロータ１３の構造が単純になって強度が向上するだけでなく、アウターロータ１３に対する第１、第２誘導磁極３８Ｌ，３８Ｒの支持や組み付けが容易になる。【選択図】        図８
2008220153.tif 000002
【特許請求の範囲】
【請求項１】
軸線（Ｌ）を囲むように配置された環状のステータ（１２Ｌ，１２Ｒ）と、軸線（Ｌ）まわりに回転可能な第１ロータ（１４）と、前記ステータ（１２）および前記第１ロータ（１４）間に配置されて軸線（Ｌ）まわりに回転可能な第２ロータ（１３）とを備えた電動機であって、
前記ステータ（１２Ｌ，１２Ｒ）は、円周方向に配置された複数の第１電機子（２１Ｌ）で構成され、電力の供給に伴って該複数の第１電機子（２１Ｌ）に発生する磁極により、円周方向に沿って回転する第１回転磁界を発生させる第１電機子列と、円周方向に配置された複数の第２電機子（２１Ｒ）で構成され、電力の供給に伴って該複数の第２電機子（２１Ｒ）に発生する磁極により、円周方向に沿って回転する第２回転磁界を発生させる第２電機子列とを軸線（Ｌ）方向に並置して成り、
前記第１ロータ（１４）は、円周方向に所定ピッチ（Ｐ）で交互に異なる極性の磁極を有するように複数の第１永久磁石（５２Ｌ）を配置して構成された第１永久磁石列と、円周方向に前記所定ピッチ（Ｐ）で交互に異なる極性の磁極を有するように複数の第２永久磁石（５２Ｒ）を配置して構成された第２永久磁石列とを軸線（Ｌ）方向に並置して成り、
前記第２ロータ（１３）は、円周方向に前記所定ピッチ（Ｐ）で配置された軟磁性体製の複数の第１誘導磁極（３８Ｌ）で構成された第１誘導磁極列と、円周方向に前記所定ピッチ（Ｐ）で配置された軟磁性体製の複数の第２誘導磁極（３８Ｒ）で構成された第２誘導磁極列とを軸線（Ｌ）方向に並置して成り、
前記第１誘導磁極列の径方向両側にそれぞれ前記第１電機子列および前記第１永久磁石列が対向し、前記第２誘導磁極列の径方向両側にそれぞれ前記第２電機子列および前記第２永久磁石列が対向し、
前記第１ロータ（１４）の前記第１永久磁石列の磁極の位相および前記第２永久磁石列の磁極の位相を相互に円周方向に前記所定のピッチ（Ｐ）の半分だけずらし、前記ステータ（１２）の前記第１回転磁界の極性の位相および前記第２回転磁界の極性の位相を相互に円周方向に前記所定のピッチ（Ｐ）の半分だけずらし、前記第２ロータ（１３）の前記第１誘導磁極（３８Ｌ）の位相および第２誘導磁極（３８Ｒ）の位相を一致させたことを特徴とする電動機。
【請求項２】
前記第２ロータ（１３）の円筒状のロータボディ（３１）に軸線（Ｌ）方向に直線状に延びる複数のスリット（３１ａ）を形成し、前記各スリット（３１ａ）に前記第１、第２誘導磁極（３８Ｌ，３８Ｒ）を嵌合したことを特徴とする、請求項１に記載の電動機。
【発明の詳細な説明】
【技術分野】
【０００１】
本発明は、軸線を囲むように配置された環状のステータと、軸線まわりに回転可能な第１ロータと、前記ステータおよび前記第１ロータ間に配置されて軸線まわりに回転可能な第２ロータとを備えた電動機に関する。
【背景技術】
【０００２】
従来の電動機として、例えば下記特許文献１に記載されたものが知られている。この電動機は、インナーロータ、ステータおよびアウターロータを有しており、インナーロータは径方向に若干延びる複数の永久磁石を周方向に配置した円柱状のものであり、ステータは複数の電機子を周方向に配置し、樹脂モールドで固定した円筒状のものであり、アウターロータは複数のリングを積層したコアにコイルを巻くことにより円筒状に形成されており、このコイルには電力が供給されないようになっている。またインナーロータ、ステータおよびアウターロータは、内側から順に設けられて相対的に回転可能になっている。
【０００３】
この電動機では、ステータに電力を供給して回転磁界を発生させると、インナーロータの永久磁石の磁極がステータの磁極に対して吸引・反発することによって、インナーロータが回転磁界に同期して回転し、アウターロータが電磁誘導作用によって回転磁界に同期せずに回転する。
【特許文献１】特開平１１−３４１７５７号公報
【発明の開示】
【発明が解決しようとする課題】
【０００４】
ところで上記従来の電動機は、アウターロータを電磁誘導作用によって回転させるため、同期機ではなく、誘導機として機能するので、高い効率が得られないという問題があった。またアウターロータを電磁誘導作用により回転させることから、アウターロータのコイルに発生する誘導電流およびアウターロータのコアに発生する渦電流によりアウターロータが発熱するので、アウターロータを冷却することが必要であった。
【０００５】
このような問題を解決すべく、本出願人は、特願２００６−２１７１４１号により新規な電動機を提案した。
【０００６】
この電動機は、軸線を囲むように配置された環状のステータと、軸線まわりに回転可能なインナーロータと、ステータおよびインナーロータ間に配置されて軸線まわりに回転可能なアウターロータとを備えるもので、そのステータは、複数の第１電機子で構成されて円周方向に沿って回転する第１回転磁界を発生させる第１電機子列と、複数の第２電機子で構成されて円周方向に沿って回転する第２回転磁界を発生させる第２電機子列とを並置して成り、そのインナーロータは、複数の第１永久磁石で構成された第１永久磁石列と、複数の第２永久磁石で構成された第２永久磁石列とを並置して成り、そのアウターロータは、軟磁性体製の複数の第１誘導磁極で構成された第１誘導磁極列と、軟磁性体製の複数の第２誘導磁極で構成された第２誘導磁極列とを軸線方向に並置して成り、第１誘導磁極列の径方向両側にそれぞれ第１電機子列および前記第１永久磁石列を対向させ、第２誘導磁極列の径方向両側にそれぞれ第２電機子列および第２永久磁石列を対向させて構成される。
【０００７】
しかしながら、特願２００６−２１７１４１号により提案された電動機は、そのアウターロータに支持される第１誘導磁極の位相と第２誘導磁極の位相とが半ピッチ分（電気角９０°分）ずれているため、アウターロータに第１、第２誘導磁極を支持する構造が複雑になり、それに伴ってアウターロータの強度を確保するのが難しくなるという課題があった。
【０００８】
本発明は前述の事情に鑑みてなされたもので、誘導磁極を支持する電動機のロータの構造を簡素化して強度を高めることを目的とする。
【課題を解決するための手段】
【０００９】
上記目的を達成するために、請求項１に記載された発明によれば、軸線を囲むように配置された環状のステータと、軸線まわりに回転可能な第１ロータと、前記ステータおよび前記第１ロータ間に配置されて軸線まわりに回転可能な第２ロータとを備え、前記ステータは、円周方向に配置された極性を有する複数の第１電機子で構成され、電力の供給に伴って該複数の第１電機子に発生する磁極により、円周方向に沿って回転する第１回転磁界を発生させる第１電機子列と、円周方向に配置された複数の第２電機子で構成され、電力の供給に伴って該複数の第２電機子に発生する磁極により、円周方向に沿って回転する第２回転磁界を発生させる第２電機子列とを軸線方向に並置して成り、前記第１ロータは、円周方向に所定ピッチで交互に異なる極性の磁極を有するように複数の第１永久磁石を配置して構成された第１永久磁石列と、円周方向に前記所定ピッチで交互に異なる極性の磁極を有するように複数の第２永久磁石を配置して構成された第２永久磁石列とを軸線方向に並置して成り、前記第２ロータは、円周方向に前記所定ピッチで配置された軟磁性体製の複数の第１誘導磁極で構成された第１誘導磁極列と、円周方向に前記所定ピッチで配置された軟磁性体製の複数の第２誘導磁極で構成された第２誘導磁極列とを軸線方向に並置して成り、前記第１誘導磁極列の径方向両側にそれぞれ前記第１電機子列および前記第１永久磁石列が対向し、前記第２誘導磁極列の径方向両側にそれぞれ前記第２電機子列および前記第２永久磁石列が対向し、前記第１ロータの前記第１永久磁石列の磁極の位相および前記第２永久磁石列の磁極の位相を相互に円周方向に前記所定のピッチの半分だけずらし、前記ステータの前記第１回転磁界の極性の位相および前記第２回転磁界の極性の位相を相互に円周方向に前記所定のピッチの半分だけずらし、前記第２ロータの前記第１誘導磁極の位相および第２誘導磁極の位相を一致させたことを特徴とする電動機が提案される。
【００１０】
また請求項２に記載された発明によれば、請求項１の構成に加えて、前記第２ロータの円筒状のロータボディに軸線方向に直線状に延びる複数のスリットを形成し、前記各スリットに前記第１、第２誘導磁極を嵌合したことを特徴とする電動機が提案される。
【００１１】
尚、実施の形態のアウターロータ１３は本発明の第２ロータに対応し、実施の形態のインナーロータ１４は本発明の第１ロータに対応し、実施の形態の第１、第２ステータ１２Ｌ，１２Ｒは本発明のステータに対応する。
【発明の効果】
【００１２】
請求項１の構成によれば、電動機は、軸線を囲むように配置された第１、第２電機子により第１、第２回転磁界を発生する環状のステータと、第１、第２永久磁石で構成された第１、第２永久磁石列を有して軸線まわりに回転可能な第１ロータと、ステータおよび第１ロータ間に配置され、第１、第２誘導磁極で構成された第１、第２誘導磁極列を有して軸線まわりに回転可能な第２ロータとを備えており、第１誘導磁極列の径方向両側にそれぞれ第１電機子列および第１永久磁石列を対向させ、第２誘導磁極列の径方向両側にそれぞれ第２電機子列および第２永久磁石列を対向させたので，第１、第２電機子に対する通電を制御して第１、第２回転磁界を回転させることで、第１、第２電機子、第１、第２永久磁石および第１、第２誘導磁極を通過する磁路を形成し、第１ロータおよび第２ロータの一方あるいは両方を回転させることができる。
【００１３】
このとき、第１ロータの第１永久磁石列の磁極の位相および第２永久磁石列の磁極の位相を相互に円周方向に所定のピッチの半分だけずらし、ステータの第１回転磁界の極性の位相および第２回転磁界の極性の位相を相互に円周方向に所定のピッチの半分だけずらしたことで、第２ロータの第１誘導磁極の位相および第２誘導磁極の位相を一致させることができる。これにより、第２ロータの構造が単純になって強度が向上するだけでなく、第２ロータに対する第１、第２誘導磁極の支持や組み付けが容易になる。
【００１４】
また請求項２の構成よれば、第２ロータのロータボディに軸線方向に延びるように設けた複数のスリットに第１、第２誘導磁極を嵌合するので、ロータボディに対する第１、第２誘導磁極の組み付けが簡単になる。
【発明を実施するための最良の形態】
【００１５】
以下、本発明の実施の形態を添付の図面に基づいて説明する。
【００１６】
図１〜図１７は本発明の第１の実施の形態を示すもので、図１は電動機を軸線方向に見た正面図（図２の１−１線矢視図）、図２は図１の２−２線断面図、図３は図２の３−３線断面図、図４は図２の４−４線断面図、図５は図２の５−５線矢視図、図６は図３の６−６線矢視図、図７は電動機の分解斜視図、図８はアウターロータの分解斜視図、図９はインナーロータの分解斜視図、図１０は図３の１０部拡大図、図１１はインナーロータ１４の永久磁石の磁気短絡を説明する図、図１２は電動機を円周方向に展開した模式図、図１３はインナーロータを固定した場合に作動説明図の（その１）、図１４はインナーロータを固定した場合に作動説明図の（その２）、図１５はインナーロータを固定した場合に作動説明図の（その３）、図１６はアウターロータを固定した場合に作動説明図の（その１）、図１７はアウターロータを固定した場合に作動説明図の（その２）である。
【００１７】
図７に示すように、本実施の形態の電動機Ｍは、軸線Ｌ方向に短い八角筒形状を成すケーシング１１と、ケーシング１１の内周に固定された円環状の第１、第２ステータ１２Ｌ，１２Ｒと、第１、第２ステータ１２Ｌ，１２Ｒの内部に収納されて軸線Ｌまわりに回転する円筒状のアウターロータ１３と、アウターロータ１３の内部に収納されて軸線Ｌまわりに回転する円筒状のインナーロータ１４とで構成されるもので、アウターロータ１３およびインナーロータ１４は固定された第１、第２ステータ１２Ｌ，ＬＲに対して相対回転可能であり、かつアウターロータ１３およびインナーロータ１４は相互に相対回転可能である。
【００１８】
図１および図２から明らかなように、ケーシング１１は有底八角筒状の本体部１５と、本体部１５の開口に複数本のボルト１６…で固定される八角板状の蓋部１７とで構成されており、本体部１５および蓋部１７には通気のための複数の開口１５ａ…，１７ａ…が形成される。
【００１９】
図１〜図４および図７から明らかなように、第１、第２ステータ１２Ｌ，１２Ｒは、同一構造のものを円周方向にずらして重ね合わせたものであり、その一方の第１ステータ１２Ｌを例にとって構造を説明する。第１ステータ１２Ｌは、積層鋼板よりなるコア１８の外周にインシュレータ１９を介してコイル２０を巻回した複数個（実施の形態では２４個）第１電機子２１Ｌ…を備えており、これらの第１電機子２１Ｌ…は全体として円環状を成すように円周方向に結合された状態で、リング状のホルダ２２で一体化される。ホルダ２２の軸線Ｌ方向一端から径方向に突出するフランジ２２ａが、ケーシング１１の本体部１５の内面の段部１５ｂ（図２参照）に複数本のボルト２３…で固定される。
【００２０】
第２ステータ１２Ｒは、上述した第１ステータ１２Ｌと同様に２４個の第２電機子２１Ｒ…を備えており、そのホルダ２２のフランジ２２ａがケーシング１１の本体部１５の内面の段部１５ｃ（図２参照）に複数本のボルト２４…で固定される。このとき、第１ステータ１２Ｌおよび第２ステータ１２Ｒの円周方向の位相は、インナーロータ１４の第１、第２永久磁石５２Ｌ…，５２Ｒ…のピッチの半分だけ相互にずれている（図３および図４参照）。そして第１、第２ステータ１２Ｌ，１２Ｒの第１、第２電機子２１Ｌ…，２１Ｒ…に、ケーシング１１の本体部１５に設けた３個の端子２５，２６，２７（図１参照）から３相交流電流を供給することで、第１、第２ステータ１２Ｌ，１２Ｒに回転磁界を発生させることができる。
【００２１】
図２、図７および図８から明らかなように、アウターロータ１３は、弱磁性体で有底円筒状に形成されたロータボディ３１と、弱磁性体で円板状に形成されてロータ本体３１の開口を覆うようにボルト３２…で固定されるロータカバー３３とを備えた中空の部材であって、ロータボディ３１の底部の中心から軸線Ｌ上に突出する第１アウターロータシャフト３４がボールベアリング３５でケーシング１１の本体部１５に回転自在に支持されるとともに、ロータカバー３３の中心から軸線Ｌ上に突出する第２アウターロータシャフト３６がボールベアリング３７でケーシング１１の蓋部１７に回転自在に支持される。アウターロータ１３の出力軸となる第１アウターロータシャフト３４は、ケーシング１１の本体部１５を貫通して外部に延出する。
【００２２】
弱磁性体とは、磁石に吸着しない材質で、例えばアルミニウム等の他に樹脂、木等を含み、非磁性体と呼ばれることもある。
【００２３】
図２、図６、図８および図１０から明らかなように、ロータボディ３１の外周面には、軸線Ｌと平行に延びる複数本（実施の形態では２０本）のスリット３１ａ…が、径方向内外に連通するように形成される。各スリット３１ａは、ロータボディ３１の底部側が開口し、ロータボディ３１の開口側が閉塞しており、そこに軟磁性体製の第１誘導磁極３８Ｌと、スペーサ３９と、軟磁性体製の第２誘導磁極３８Ｒとが、ロータボディ３１の底部側から軸線Ｌ方向に挿入されて埋め込まれる。第１、第２誘導磁極３８Ｌ，３８Ｒは、軸線Ｌ方向に積層された鋼板で構成される。
【００２４】
ロータボディ３１の各スリット３１ａの相対向する内面に相互に接近する方向に突出する一対の凸部３１ｂ，３１ｂが形成されるとともに、前記スリット３１ａの内面に当接する第１、第２誘導磁極３８Ｌ，３８Ｒおよびスペーサ３９の外面に、前記一対の凸部３１ｂ，３１ｂに摺動自在に係合する一対の凹部３８ａ，３８ａ；３９ａ；３９ａが形成される。
【００２５】
このようにしてスリット３１ａに挿入された第１、第２誘導磁極３８Ｌ，３８Ｒおよびスペーサ３９のうち、第１誘導磁極３８Ｌの前端がスリット３１ａの前端のストッパ３１ｃ（図６参照）に当接して移動を規制された状態で、ロータボディ３１の底部にボルト４０…で固定した円環状のホルダ４１から軸線Ｌ方向に突出する複数の弾性爪４１ａ…の一つが、第２誘導磁極３８Ｒの後端に弾発的に当接する。その結果、スリット３１ａに挿入された第１、第２誘導磁極３８Ｌ，３８Ｒおよびスペーサ３９はストッパ３１ｃおよびホルダ４１の弾性爪４１ａによって軸線Ｌ方向に抜け止めされ、かつガタの発生が防止される。
【００２６】
図２から明らかなように、アウターロータ１３の第２アウターロータシャフト３６を囲むように、アウターロータ１３の回転位置を検出するための第１レゾルバ４２が設けられる。第１レゾルバ４２は、第２アウターロータシャフト３６の外周に固定されたレゾルバロータ４３と、このレゾルバロータ４３の周囲を囲むようにケーシング１１の蓋部１７に固定されたレゾルバステータ４４とで構成される。
【００２７】
図２〜図５および図９から明らかなように、インナーロータ１４は、円筒状に形成されたロータボディ４５と、ロータボディ４５のハブ４５ａを貫通してボルト４６で固定されたインナーロータシャフト４７と、積層鋼板で構成されてロータボディ４５の外周に嵌合する円環状の第１、第２ロータコア４８Ｌ，４８Ｒと、ロータボディ４５の外周に嵌合する円環状のスペーサ４９とを備える。インナーロータシャフト４７の一端は軸線Ｌ上で第１アウターロータシャフト３４の内部にボールベアリング５０で回転自在に支持され、またインナーロータシャフト４７の他端は第２アウターロータシャフト３６の内部にボールベアリング５１で回転自在に支持されるとともに、第２アウターロータシャフト３６およびケーシング１１の蓋部１７を貫通し、インナーロータ１４の出力軸としてケーシング１１の外部に延出する。
【００２８】
ロータボディ４５の外周に嵌合する第１、第２ロータコア４８Ｌ，４８Ｒは同一構造を有するもので、その外周面に沿って複数個（実施の形態では２０個）の永久磁石支持孔４８ａ…（図３および図４参照）を備えており、そこに第１、第２永久磁石５２Ｌ…，５２Ｒ…が軸線Ｌ方向に圧入される。第１ロータコア４８Ｌの隣接する第１永久磁石５２Ｌ…の極性は交互に反転しており、第２ロータコア４８Ｒの隣接する第２永久磁石５２Ｒ…の極性は交互に反転しており、かつ第１ロータコア４８Ｌの第１永久磁石５２Ｌ…の円周方向の位相と、第２ロータコア４８Ｒの第２永久磁石５２Ｒ…の円周方向の位相とは、それらのピッチの半分だけ相互にずれている（図３および図４参照）。
【００２９】
そしてロータボディ４５の外周の軸線Ｌ方向中央に弱磁性体のスペーサ４９が嵌合し、その外側に第１、第２永久磁石５２Ｌ…，５２Ｒ…を抜け止めする一対の内側永久磁石支持板５３，５３がそれぞれ嵌合し、その外側に第１、第２ロータコアロータコア４８Ｌ，４８Ｒがそれぞれ嵌合し、その外側に第１、第２永久磁石５２Ｌ…，５２Ｒ…を抜け止めする一対の外側永久磁石支持板５４，５４がそれぞれ嵌合し、その外側に一対のストッパリング５５，５５が圧入によりそれぞれ固定される。
【００３０】
図２から明らかなように、インナーロータシャフト４７を囲むように、インナーロータ１４の回転位置を検出するための第２レゾルバ５６が設けられる。第２レゾルバ５６は、インナーロータシャフト４７の外周に固定されたレゾルバロータ５７と、このレゾルバロータ５７の周囲を囲むようにケーシング１１の蓋部１７に固定されたレゾルバステータ５８とで構成される。
【００３１】
しかして、図１０に拡大して示すように、アウターロータ１３の外周面に露出する第１誘導磁極３８Ｌ…の外周面に、僅かなエアギャップαを介して第１ステータ１２Ｌの第１電機子２１Ｌ…の内周面が対向し、アウターロータ１３の内周面に露出する第１誘導磁極３８Ｌ…の内周面に、僅かなエアギャップβを介してインナーロータ１４の第１ロータコア４８Ｌの外周面が対向する。同様に、アウターロータ１３の外周面に露出する第２誘導磁極３８Ｒ…の外周面に、僅かなエアギャップαを介して第２ステータ１２Ｒの第２電機子２１Ｒ…の内周面が対向し、アウターロータ１３の内周面に露出する第２誘導磁極３８Ｒ…の内周面に、僅かなエアギャップβを介してインナーロータ１４の第２ロータコア４８Ｒの外周面が対向する。
【００３２】
次に、上記構成を備えた第１の実施の形態の電動機Ｍの作動原理を説明する。
【００３３】
図１２は電動機Ｍを円周方向に展開した状態を模式的に示すものである。図１２の左右両側には、インナーロータ１４の第１、第２永久磁石５２Ｌ…，５２Ｒ…がそれぞれ示される。第１、第２永久磁石５２Ｌ…，５２Ｒ…は円周方向（図１２の上下方向）に所定のピッチＰでＮ極およびＳ極が交互に配置されるとともに、第１永久磁石５２Ｌ…と第２永久磁石５２Ｒ…とが所定のピッチＰの半分だけ、つまり半ピッチＰ／２だけずれて配置される。
【００３４】
図１２の中央部には第１、第２ステータ１２Ｌ，１２Ｒの第１、第２電機子２１Ｌ…，２１Ｒ…に対応する仮想永久磁石２１…が円周方向に所定のピッチＰで配置される。実際には、第１、第２ステータ１２Ｌ，１２Ｒの第１、第２電機子２１Ｌ…，２１Ｒ…の数は各２４個であり、インナーロータ１４の第１、第２永久磁石５２Ｌ…，５２Ｒ…の数は各２０個であるため、第１、第２電機子２１Ｌ…，２１Ｒ…のピッチはインナーロータ１４の第１、第２永久磁石５２Ｌ…，５２Ｒ…のピッチＰと一致していない。
【００３５】
しかしながら、第１、第２電機子２１Ｌ…，２１Ｒ…はそれぞれ回転磁界を形成するため、それら第１、第２電機子２１Ｌ…，２１Ｒ…を、ピッチＰで配置されて円周方向に回転する２０個の仮想永久磁石２１…で置き換えることができる。以下、第１、第２電機子２１Ｌ…，２１Ｒ…を、仮想永久磁石２１…の第１、第２仮想磁極２１Ｌ…，２１Ｒ…と呼ぶ。円周方向に隣接する仮想永久磁石２１…の第１、第２仮想磁極２１Ｌ…，２１Ｒ…の極性は交互に反転しており、かつ各仮想永久磁石２１…の第１仮想磁極２１Ｌ…と第２仮想磁極２１Ｒ…とは、円周方向に半ピッチＰ／２だけずれている。
【００３６】
第１、第２永久磁石５２Ｌ…，５２Ｒ…と仮想永久磁石２１…との間に、アウターロータ１３の第１、第２誘導磁極３８Ｌ…，３８Ｒ…が配置される。第１、第２誘導磁極３８Ｌ…，３８Ｒ…は円周方向にピッチＰで配置されるとともに、第１誘導磁極３８Ｌ…と第２誘導磁極３８Ｒ…とは軸線Ｌ方向に整列している。
【００３７】
図１２に示すように、仮想永久磁石２１の第１仮想磁極２１Ｌの極性が、それに対向する（最も近い）第１永久磁石５２Ｌの極性と異なるときには、仮想永久磁石２１の第２仮想磁極２１Ｒの極性が、それに対向する（最も近い）第２永久磁石５２Ｒの極性と同じになる。また仮想永久磁石２１の第２仮想磁極２１Ｒの極性が、それに対向する（最も近い）第２永久磁石５２Ｒの極性と異なるときには、仮想永久磁石２１の第１仮想磁極２１Ｌの極性が、それに対向する（最も近い）第１永久磁石５２Ｌの極性と同じになる（図１４（Ｇ）参照）。
【００３８】
先ず、インナーロータ１４（第１、第２永久磁石５２Ｌ…，５２Ｒ…）を回転不能に固定した状態で、第１、第２ステータ１２Ｌ，１２Ｒ（第１、第２仮想磁極２１Ｌ…，２１Ｒ…）に回転磁界を発生させることで、アウターロータ１３（第１、第２誘導磁極３８Ｌ…，３８Ｒ…）を回転駆動する場合の作用を説明する。この場合、図１３（Ａ）→図１３（Ｂ）→図１３（Ｃ）→図１３（Ｄ）→図１４（Ｅ）→図１４（Ｆ）→図１４（Ｇ）の順番で、固定された第１、第２永久磁石５２Ｌ…，５２Ｒ…に対して仮想永久磁石２１…が図中下向きに回転することで、第１、第２誘導磁極３８Ｌ…，３８Ｒ…が図中下向きに回転する。
【００３９】
図１３（Ａ）に示すように、相対向する第１永久磁石５２Ｌ…および仮想永久磁石２１…の第１仮想磁極２１Ｌ…に対して第１誘導磁極３８Ｌ…が整列し、かつ相対向する第２仮想磁極２１Ｒ…および第２永久磁石５２Ｒ…に対して第２誘導磁極３８Ｒ…が半ピッチＰ／２ずれた状態から、仮想永久磁石２１…を同図の下方に回転させる。その回転の開始時においては、仮想永久磁石２１…の第１仮想磁極２１Ｌ…の極性は、それに対向する第１永久磁石５２Ｌ…の極性と異なるとともに、仮想永久磁石２１…の第２仮想磁極２１Ｒ…の極性は、それに対向する第２永久磁石５２Ｒ…の極性と同じになる。
【００４０】
第１誘導磁極３８Ｌ…が第１永久磁石５２Ｌ…および仮想永久磁石２１…の第１仮想磁極２１Ｌ…間に配置されているので、第１誘導磁極３８Ｌ…が第１永久磁石５２Ｌ…および第１仮想磁極２１Ｌ…によって磁化され、第１永久磁石５２Ｌ…、第１誘導磁極３８Ｌ…および第１仮想磁極２１Ｌ…間に第１磁力線Ｇ１が発生する。同様に、第２誘導磁極３８Ｒ…が第２仮想磁極２１Ｒ…および第２永久磁石５２Ｒ…間に配置されているので、第２誘導磁極３８Ｒ…が第２仮想磁極２１Ｒ…および第２永久磁石５２Ｒ…によって磁化され、第２仮想磁極２１Ｒ…、第２誘導磁極３８Ｒ…および第２永久磁石５２Ｒ…間に第２磁力線Ｇ２が発生する。
【００４１】
図１３（Ａ）に示す状態では、第１磁力線Ｇ１は、第１永久磁石５２Ｌ…、第１誘導磁極３８Ｌ…および第１仮想磁極２１Ｌ…を結ぶように発生し、第２磁力線Ｇ２は、円周方向に隣り合う各２つの第２仮想磁極２１Ｒ…と両者の間に位置する第２誘導磁極３８Ｒ…とを結ぶように、また円周方向に隣り合う各２つの第２永久磁石５２Ｒ…と両者の間に位置する第２誘導磁極３８Ｒ…とを結ぶように発生する。その結果、この状態では、図１５（Ａ）に示すような磁気回路が構成される。この状態では、第１磁力線Ｇ１が直線状であることにより、第１誘導磁極３８Ｌ…には、円周方向に回転させるような磁力は作用しない。また円周方向に隣り合う各２つの第２仮想磁極２１Ｒ…と第２誘導磁極３８Ｒ…との間の２つの第２磁力線Ｇ２の曲がり度合いおよび総磁束量が互いに等しく、同様に円周方向に隣り合う各２つの第２永久磁石５２Ｒ…と第２誘導磁極３８Ｒ…との間の２つの第２磁力線Ｇ２の曲がり度合いおよび総磁束量も、互いに等しくなってバランスしている。このため、第２誘導磁極３８Ｒ…にも、円周方向に回転させるような磁力は作用しない。
【００４２】
そして、仮想永久磁石２１…が図１３（Ａ）に示す位置から図１３（Ｂ）に示す位置に回転すると、第２仮想磁極２１Ｒ…、第２誘導磁極３８Ｒ…および第２永久磁石５２Ｒ…を結ぶような第２磁力線Ｇ２が発生するとともに、第１誘導磁極３８Ｌ…と第１仮想磁極２１Ｌ…との間の第１磁力線Ｇ１が曲がった状態になる。これに伴い、第１、第２の磁力線Ｇ１，Ｇ２によって、図１５（Ｂ）に示すような磁気回路が構成される。
【００４３】
この状態では、第１磁力線Ｇ１の曲がり度合いは小さいものの、その総磁束量が多いため、比較的強い磁力が第１誘導磁極３８Ｌ…に作用する。これにより、第１誘導磁極３８Ｌ…は、仮想永久磁石２１…の回転方向、つまり磁界回転方向に比較的大きな駆動力で駆動され、その結果アウターロータ１３が磁界回転方向に回転する。また第２磁力線Ｇ２の曲がり度合いは大きいものの、その総磁束量が少ないため、比較的弱い磁力が第２誘導磁極３８Ｒ…に作用し、それにより第２誘導磁極３８Ｒ…は磁界回転方向に比較的小さな駆動力で駆動され、その結果アウターロータ１３は磁界回転方向に回転する。
【００４４】
次いで、仮想永久磁石２１が、図１３（Ｂ）に示す位置から、図１３（Ｃ），（Ｄ）および図１４（Ｅ），（Ｆ）に示す位置に順に回転すると、第１誘導磁極３８Ｌ…および第２誘導磁極３８Ｒ…は、それぞれ第１、第２の磁力線Ｇ１，Ｇ２に起因する磁力によって磁界回転方向に駆動され、その結果アウターロータ１３が磁界回転方向に回転する。その間、第１誘導磁極３８Ｌ…に作用する磁力は、第１磁力線Ｇ１の曲がり度合いが大きくなるものの、その総磁束量が少なくなることによって、徐々に弱くなり、第１誘導磁極３８Ｌ…を磁界回転方向に駆動する駆動力が徐々に小さくなる。また第２誘導磁極３８Ｒ…に作用する磁力は、第２磁力線Ｇ２の曲がり度合いが小さくなるものの、その総磁束量が多くなることによって徐々に強くなり、第２誘導磁極３８Ｒ…を磁界回転方向に駆動する駆動力が徐々に大きくなる。
【００４５】
そして、仮想永久磁石２１が図１４（Ｅ）に示す位置から図１４（Ｆ）に示す位置に回転する間、第２磁力線Ｇ２が曲がった状態になるとともに、その総磁束量が最多に近い状態になり、その結果、最強の磁力が第２誘導磁極３８Ｒ…に作用し、第２誘導磁極３８Ｒ…に作用する駆動力が最大になる。その後、図１４（Ｇ）に示すように、仮想永久磁石２１が当初の図１３（Ａ）の位置からピッチＰ分回転することにより、仮想永久磁石２１の第１、第２仮想磁極２１Ｌ…，２１Ｒ…がそれぞれ第１、第２永久磁石５２Ｌ…，５２Ｒ…に対向する位置に回転すると、図１３（Ａ）の状態と左右が反転した状態となり、その瞬間だけアウターロータ１３を円周方向に回転させる磁力は作用しなくなる。
【００４６】
この状態から、仮想永久磁石２１が更に回転すると、第１、第２の磁力線Ｇ１，Ｇ２に起因する磁力によって、第１、第２誘導磁極３８Ｌ…，３８Ｒ…が磁界回転方向に駆動され、アウターロータ１３が磁界回転方向に回転する。その際、仮想永久磁石２１が再び図１３（Ａ）に示す位置まで回転する間、以上とは逆に、第１誘導磁極３８Ｌ…に作用する磁力は、第１磁力線Ｇ１の曲がり度合が小さくなるものの、その総磁束量が多くなることによって強くなり、第１誘導磁極３８Ｌ…に作用する駆動力が大きくなる。逆に、第２誘導磁極３８Ｒ…に作用する磁力は、第２磁力線Ｇ２の曲がり度合が大きくなるものの、その総磁束量が少なくなることによって弱くなり、第２誘導磁極３８Ｒ…に作用する駆動力が小さくなる。
【００４７】
また図１３（Ａ）と図１４（Ｇ）とを比較すると明らかなように、仮想永久磁石２１がピッチＰ分回転するのに伴って、第１、第２誘導磁極３８Ｌ…，３８Ｒ…が半ピッチＰ／２分しか回転しないので、アウターロータ１３は、第１、第２ステータ１２Ｌ、１２Ｒの回転磁界の回転速度の１／２の速度で回転する。これは、第１、第２磁力線Ｇ１，Ｇ２に起因する磁力の作用によって、第１、第２誘導磁極３８Ｌ…，３８Ｒ…が、第１磁力線Ｇ１で結ばれた第１永久磁石５２Ｌ…と第１仮想磁極２１Ｌ…との中間、および第２磁力線Ｇ２で結ばれた第２永久磁石５２Ｒ…と第２仮想磁極２１Ｒ…トの中間に、それぞれ位置した状態を保ちながら、回転するためである。
【００４８】
次に、図１５および図１６を参照しながら、アウターロータ１３を固定した状態で、インナーロータ１４を回転させる場合の電動機Ｍの作動について説明する。
【００４９】
先ず、図１６（Ａ）に示すように、各第１誘導磁極３８Ｌ…が各第１永久磁石５２Ｌ…に対向するとともに、各第２誘導磁極３８Ｒ…が隣り合う各２つの第２永久磁石５２Ｒ…の間に位置した状態から、第１、第２回転磁界を同図の下方に回転させる。その回転の開始時において、各第１仮想磁極２１Ｌ…の極性を、それに対向する各第１永久磁石５２Ｌ…の極性と異ならせるとともに、各第２仮想磁極２１Ｒ…の極性をそれに対向する各第２永久磁石５２Ｒ…の極性と同じにする。
【００５０】
この状態から、仮想永久磁石２１…が図１６（Ｂ）に示す位置に回転すると、第１誘導磁極３８Ｌ…と第１仮想磁極２１Ｌ…の間の第１磁力線Ｇ１が曲がった状態になり、かつ第２仮想磁極２１Ｒ…が第２誘導磁極３８Ｒ…に近づくことによって、第２仮想磁極２１Ｒ…、第２誘導磁極３８Ｒ…および第２永久磁石５２Ｒ…を結ぶような第２磁力線Ｇ２が発生する。その結果、第１、第２永久磁石５２Ｌ…，５２Ｒ…、仮想永久磁石２１…および第１、第２誘導磁極３８Ｌ…，３８Ｒ…において、前述した図１５（Ｂ）に示すような磁気回路が構成される。
【００５１】
この状態では、第１永久磁石５２Ｌ…と第１誘導磁極３８Ｌ…との間の第１磁力線Ｇ１の総磁束量は高いものの、この第１磁力線Ｇ１がまっすぐであるため、第１誘導磁極３８Ｌ…に対して第１永久磁石５２Ｌ…を回転させるような磁力が発生しない。また第２永久磁石５２Ｒ…およびこれと異なる極性の第２仮想磁極２１Ｒ…の間の距離が比較的長いことにより、第２誘導磁極３８Ｒ…と第２永久磁石５２Ｒ…との間の第２磁力線Ｇ２の総磁束量は比較的少ないものの、その曲がり度合いが大きいことによって、第２永久磁石５２Ｒ…に、これを第２誘導磁極３８Ｒ…に近づけるような磁力が作用する。これにより、第２永久磁石５２Ｒ…は、第１永久磁石５２Ｌ…と共に、仮想永久磁石２１…の回転方向、即ち磁界回転方向と逆方向（図１６の上方）に駆動され、図１６（Ｃ）に示す位置に向かって回転する。また、これに伴い、インナーロータ１４が磁界回転方向と逆方向に回転する。
【００５２】
そして第１、第２永久磁石５２Ｌ…，５２Ｒ…が図１６（Ｂ）に示す位置から図１６（Ｃ）に示す位置に向かって回転する間、仮想永久磁石２１…は、図１６（Ｄ）に示す位置に向かって回転する。以上のように、第２永久磁石５２Ｒ…が第２誘導磁極３８Ｒ…に近づくことにより、第２誘導磁極３８Ｒ…と第２永久磁石５２Ｒ…との間の第２磁力線Ｇ２の曲がり度合いは小さくなるものの、仮想永久磁石２１…が第２誘導磁極３８Ｒ…に更に近づくのに伴い、第２磁力線Ｇ２の総磁束量は多くなる。その結果、この場合にも、第２永久磁石５２Ｒ…に、これを第２誘導磁極３８Ｒ…側に近づけるような磁力が作用し、それにより、第２永久磁石５２Ｒ…が、第１永久磁石５２Ｌ…と共に、磁界回転方向と逆方向に駆動される。
【００５３】
また第１永久磁石５２Ｌ…が磁界回転方向と逆方向に回転するのに伴い、第１永久磁石５２Ｌ…と第１誘導磁極３８Ｌ…との間の第１磁力線Ｇ１が曲がることによって、第１永久磁石５２Ｌ…に、これを第１誘導磁極３８Ｌ…に近づけるような磁力が作用する。しかし、この状態では、第１磁力線Ｇ１に起因する磁力は、第１磁力線Ｇ１の曲がり度合いが第２磁力線Ｇ２よりも小さいことによって、上述した第２磁力線Ｇ２に起因する磁力よりも弱い。その結果、両磁力の差分に相当する磁力によって、第２永久磁石５２Ｒ…が第１永久磁石５２Ｌ…と共に、磁界回転方向と逆方向に駆動される。
【００５４】
そして、図１６（Ｄ）に示すように、第１永久磁石５２Ｌ…と第１誘導磁極３８Ｌ…との間の距離と、第２誘導磁極３８Ｒ…と第２永久磁石５２Ｒ…との間の距離が互いにほぼ等しくなったときには、第１永久磁石５２Ｌ…と第１誘導磁極３８Ｌ…との間の第１磁力線Ｇ１の総磁束量および曲がり度合いが、第２誘導磁極３８Ｒ…と第２永久磁石５２Ｒ…との間の第２磁力線Ｇ２の総磁束量および曲がり度合いとそれぞれほぼ等しくなる。
【００５５】
その結果、これらの第１、第２磁力線Ｇ１，Ｇ２に起因する磁力が互いにほぼ釣り合うことによって、第１、第２永久磁石５２Ｌ…，５２Ｒ…が一時的に駆動されない状態になる。
【００５６】
この状態から、仮想永久磁石２１…が図１７（Ｅ）に示す位置まで回転すると、第１磁力線Ｇ１の発生状態が変化し、図１７（Ｆ）に示すような磁気回路が構成される。それにより、第１磁力線Ｇ１に起因する磁力が、第１永久磁石５２Ｌ…を第１誘導磁極３８Ｌ…に近づけるようにほとんど作用しなくなるので、第２磁力線Ｇ２に起因する磁力によって、第２永久磁石５２Ｒ…は、第１永久磁石５２Ｌ…とともに、図１７（Ｇ）に示す位置まで、磁界回転方向と逆方向に駆動される。
【００５７】
そして、図１７（Ｇ）に示す位置から、仮想永久磁石２１…が若干回転すると、以上とは逆に、第１永久磁石５２Ｌ…と第１誘導磁極３８Ｌ…との間の第１磁力線Ｇ１に起因する磁力が、第１永久磁石５２Ｌ…に、これを第１誘導磁極３８Ｌ…に近づけるように作用し、それにより、第１永久磁石５２Ｌ…が第２永久磁石５２Ｒ…と共に、磁界回転方向と逆方向に駆動され、インナーロータ１４が磁界回転方向と逆方向に回転する。そして仮想永久磁石２１…が更に回転すると、第１永久磁石５２Ｌ…と第１誘導磁極３８Ｌ…との間の第１磁力線Ｇ１に起因する磁力と第２誘導磁極３８Ｒ…と第２永久磁石５２Ｒ…との間の第２磁力線Ｇ２に起因する磁力の差分に相当する磁力によって、第１永久磁石５２Ｌ…が第２永久磁石５２Ｒ…と共に、磁界回転方向と逆方向に駆動される。その後、第２磁力線Ｇ２に起因する磁力が、第２永久磁石５２Ｒ…を第２誘導磁極３８Ｒ…に近づけるようにほとんど作用しなくなると、第１磁力線Ｇ１に起因する磁力によって、第１永久磁石５２Ｌ…が第２永久磁石５２Ｒ…と共に駆動される。
【００５８】
以上のように、第１、第２回転磁界の回転に伴い、第１永久磁石５２Ｌ…と第１誘導磁極３８Ｌ…との間の第１磁力線Ｇ１に起因する磁力と、第２誘導磁極３８Ｒ…と第２永久磁石５２Ｒ…との間の第２磁力線Ｇ２に起因する磁力と、これらの磁力の差分に相当する磁力とが、第１、第２永久磁石５２Ｌ…，５２Ｒ…に、即ちインナーロータ１４に交互に作用し、それによりインナーロータ１４が磁界回転方向と逆方向に回転する。また、そのように磁力、即ち駆動力がインナーロータ１４に交互に作用することによって、インナーロータ１４のトルクはほぼ一定になる。
【００５９】
この場合、インナーロータ１４は、第１、第２回転磁界と同じ速度で逆回転する。これは、第１、第２磁力線Ｇ１，Ｇ２に起因する磁力の作用によって、第１、第２誘導磁極３８Ｌ…，３８Ｒ…が、第１永久磁石５２Ｌ…と第１仮想磁極２１Ｌ…との中間、および第２永久磁石５２Ｒ…と第２仮想磁極２１Ｒ…との中間にそれぞれ位置した状態を保ちながら、第１、第２永久磁石５２５Ｌ…，５２Ｒ…が回転するためである。
【００６０】
以上、インナーロータ１４を固定してアウターロータ１３を磁界回転方向に回転させる場合と、アウターロータ１３を固定してインナーロータ１４を磁界回転方向と逆方向に回転させる場合とを別個に説明したが、勿論インナーロータ１４およびアウターロータ１３の両方を相互に逆方向に回転させることも可能である。
【００６１】
以上のように、インナーロータ１４およびアウターロータ１３のいずれか一方、あるいはインナーロータ１４およびアウターロータ１３の両方を回転させる場合に、インナーロータ１４およびアウターロータ１３の相対的な回転位置に応じて、第１、第２誘導磁極３８Ｌ…，３８Ｒ…の磁化の状態が変わり、滑りを生じることなく回転させることが可能であり、同期機として機能するので、効率を高めることができる。また第１仮想磁極２１Ｌ…、第１永久磁石５２Ｌ…および第１誘導磁極３８Ｌ…の数が互いに同じに設定されるとともに、第２仮想磁極２１Ｒ…、第２永久磁石５２Ｒ…および第２誘導磁極３８Ｒ…の数が互いに同じに設定されているので、インナーロータ１４およびアウターロータ１３のいずれを駆動する場合にも、電動機Ｍのトルクを十分に得ることができる。
【００６２】
しかして、本実施の形態の電動機Ｍによれば、アウターロータ１３がロータボディ３１に設けた第１アウターロータシャフト３４と、ロータカバー３３に設けた第２アウターロータシャフト３６とでケーシング１１に両持ち支持されるので、アウターロータ１３の安定した回転を可能にすることができる。
【００６３】
またアウターロータ１３を一対のボールベアリング３５，３７でケーシング１１に回転自在に支持し、かつインナーロータ１４を前記一対のボールベアリング３５，３７の間に配置した一対のボールベアリング５０，５１でアウターロータ１３に回転自在に支持したので、アウターロータ１３およびインナーロータ１４をそれぞれ直接ケーシング１１に回転自在に支持する場合に比べて、電動機Ｍの軸線Ｌ方向の寸法を小型化することができる。
【００６４】
なぜならば、インナーロータ１４を一対のボールベアリング５０，５１でケーシング１１に直接支持しようとすると、それらのボールベアリング５０，５１をアウターロータ１３の一対のボールベアリング３５，３７の間に配置することができず、アウターロータ１３の一対のボールベアリング３５，３７の軸線Ｌ方向外側に配置しなくてはならないからである。
【００６５】
またアウターロータ１３の回転位置を検出する第１レゾルバ４２と、インナーロータ１４の回転位置を検出する第２レゾルバ５６とを、共に軸線Ｌ方向の一端側、つまりケーシング１１の蓋部１７側に集中配置したので、蓋部１７を取り外すだけで第１、第２レゾルバ４２，５６の点検、修理、組み付け、交換等の作業を同時に行うことが可能になり、利便性が大幅に向上する。更に第１、第２レゾルバ４２，５６のハーネスの取り回しも容易になる。
【００６６】
またアウターロータ１３は、第１、第２誘導磁極３８Ｌ…，３８Ｒ…の外周表面および内周表面を、それぞれロータボディ３１の外周表面および内周表面に露出させたので、第１、第２ステータ１２Ｌ，１２Ｒに対する前記エアギャップαと、インナーロータ１４の第１、第２コア４８Ｌ，４８Ｒに対する前記エアギャップβとを最小限に抑え、磁気効率を高めることができる。
【００６７】
更に、第１誘導磁極３８Ｌ…および第２誘導磁極３８Ｒ…が円周方向に同位相で配置されるので、第１、第２誘導磁極３８Ｌ…，３８Ｒ…を円周方向に異なる位相で配置する場合に比べて、それら第１、第２誘導磁極３８Ｌ…，３８Ｒ…を支持するアウターロータ１３のロータボディ３１の構造が簡素化されるだけでなく、ロータボディ３１の強度も向上する。
【００６８】
特に、ロータボディ３１に対する第１、第２誘導磁極３８Ｌ…，３８Ｒ…およびスペーサ３９…の支持を、ロータボディ３１のスリット３１ａの凸部３１ｂ，３１ｂに対して、第１、第２誘導磁極３８Ｌ，３８Ｒおよびスペーサ３９の凹部３８ａ，３８ａ；３９ａ；３９ｂを軸線Ｌ方向に滑らせながら挿入することで行うので、その組付け作業が容易になるだけでなく、ボルトのような特別の固定手段が不要になって部品点数の削減および構造の簡素化に寄与することができる。しかもアウターロータ１３の回転により発生する遠心力で第１、第２誘導磁極３８Ｌ，３８Ｒおよびスペーサ３９が径方向に脱落するのを確実に防止することができる。
【００６９】
しかも、第１、第２誘導磁極３８Ｌ…，３８Ｒ…に凹部３８ａ…を形成したことで、その凹部３８ａ…で第１、第２誘導磁極３８Ｌ…，３８Ｒ…の不要部分を削り、渦損失およびヒステリシス損失を低減することができる。
【００７０】
ところで、図１１に示すように、第１ステータ１２Ｌの第１電機子２１Ｌ…と、インナーロータ１４の第１永久磁石５２Ｌ…と間で、アウターロータ１３の第１誘導磁極３８Ｌ…を介して磁束が通過するとき、鎖線で示す位置に第１誘導磁極３８Ｌ…が存在する状態では、第１永久磁石５２Ｌ…から第１誘導磁極３８Ｌ…を介して隣接する第１永久磁石５２Ｌ…に磁束が短絡してしまい、磁気効率が低下する問題がある。この問題は、第２電機子２１Ｒ…、第２永久磁石５２Ｒ…および第２誘導磁極３８Ｒ…においても、同様に発生する。
【００７１】
そこで本実施の形態では、図１０に示すように、第１、第２永久磁石５２Ｌ…，５２Ｒ…の電気角１８０°に相当する機械角θ０よりも、軸線Ｌから各第１、第２誘導磁極３８Ｌ，３８Ｒの円周方向両端に引いた２本の直線の成す角度θ２を小さく設定している。尚、θ１は、軸線Ｌから各第１、第２永久磁石５２Ｌ，５２Ｒの円周方向両端に引いた２本の直線の成す角度であり、三つの角度の関係はθ０＞θ１≧θ２である。こうすることで、円周方向に隣接する二つの第１永久磁石５２Ｌ，５２Ｌ間の磁気短絡、あるいは円周方向に隣接する二つの第２永久磁石５２Ｒ，５２Ｒ間の磁気短絡を最小限に抑えることができる。
【００７２】
次に、図１８に基づいて本発明の第２の実施の形態を説明する。
【００７３】
第１の実施の形態では、第１、第２誘導磁極３８Ｌ…，３８Ｒ…およびスペーサ３９の凹部３８ａ…，３９ａ…の形状と、ロータボディ３１のスリット３１ａ…の凸部３１ｂ…の形状とを四角形にしているが、図１８（Ａ）に示すように三角形にしたり、図１８（Ｂ）に示すようにＵ字状にしても、同様の作用効果を達成することができる。
【００７４】
尚、凹部３８ａ…，３９ａ…および凸部３１ｂ…の位置関係を逆にし、第１、第２誘導磁極３８Ｌ…，３８Ｒ…およびスペーサ３９側に凸部を形成し、スリット３１ａ…側に凹部を形成しても、第１、第２誘導磁極３８Ｌ…，３８Ｒ…を確実に支持できることは同様である。しかしながら、実施の形態の如く、第１、第２誘導磁極３８Ｌ…，３８Ｒ…側に凹部３８ａ…を形成することで、スリット３１ａ…側に凹部を形成する場合に比べて、渦損失およびヒステリシス損失を低減することができる。
【００７５】
図１９〜図２１は本発明の第３の実施の形態を示すもので、図１９は前記図６に対応する図、図２０は図１９の２０−２０線断面図、図２１は図１９の２１−２１線断面図である。
【００７６】
第３の実施の形態は、アウターロータ１３のスペーサ３９…の表面に円周方向に延びる溝３９ｂ…を形成するとともに、アウターロータ１３のロータボディ３１の外周面に前記スペーサ３９…の溝３９ｂ…に連なる溝３１ｄ…を形成し、それらの溝３９ｂ…，３１ｄ…に弱磁性体で構成したリング５９を嵌合させたものである。
【００７７】
アウターロータ１３が回転すると、第１、第２誘導磁極３８Ｌ…，３８Ｒ…およびスペーサ３９…に遠心力が作用し、ロータボディ３１の軸線Ｌ方向中間部が膨らむように変形しようとする。しかしながら、前記リング５９でロータボディ３１の軸線Ｌ方向中間部を押さえることで、その変形を防止することができる。
【００７８】
次に、図２２に基づいて本発明の第４の実施の形態を説明する。
【００７９】
第４の実施の形態は、インナーロータ１４の一つの磁極を構成する第１永久磁石５２Ｌあるいは第２永久磁石５２Ｒを、それぞれ二つに分割したものである。この場合、二つの永久磁石が一つの磁極を構成するには、その二つの永久磁石の極性が一致していることが必要である。
【００８０】
この場合、インナーロータ１４の磁極の電気角１８０°に相当するθ０は、一つの磁極を構成する二つの永久磁石５２Ｌ，５２Ｌ（あるいは５２Ｒ，５２Ｒ）をペアとしたとき、隣接するペア間を通る２本の半径線が成す角度として定義される。
【００８１】
以上、本発明の実施の形態を説明したが、本発明はその要旨を逸脱しない範囲で種々の設計変更を行うことが可能である。
【００８２】
例えば、実施の形態では径方向外側に配置したステータ１２Ｌ，１２Ｒに電機子２１Ｌ…，２１Ｒ…を設け、径方向内側に配置したインナーロータ１４に永久磁石５２Ｌ…，５２Ｒ…を設けているが、電機子２１Ｌ…，２１Ｒ…および永久磁石５２Ｌ…，５２Ｒ…の位置関係を逆にしても良い。
【００８３】
また実施の形態では第１、第２誘導磁極３８Ｌ…，３８Ｒ…をロータボディ３１のスリット３８ａ…に凹凸係合させて固定しているが、第１誘導磁極３８Ｌ…の位相および第２誘導磁極３８Ｒ…の位相を一致させてロータボディ３１に固定する構造であれば、任意の固定構造を採用することができる。
【００８４】
また実施の形態のステータ１２Ｌ，１２Ｒの巻線は集中巻であるが、これを分布巻にしても良い。
【００８５】
また第１、第２ステータ１２Ｌ，１２Ｒ、アウターロータ１３およびインナーロータ１４の極対数は実施の形態に限定されず、適宜変更可能である。
【図面の簡単な説明】
【００８６】
【図１】第１の実施の形態に係る電動機を軸線方向に見た正面図（図２の１−１線矢視図）
【図２】図１の２−２線断面図
【図３】図２の３−３線断面図
【図４】図２の４−４線断面図
【図５】図２の５−５線矢視図
【図６】図３の６−６線矢視図
【図７】電動機の分解斜視図
【図８】アウターロータの分解斜視図
【図９】インナーロータの分解斜視図
【図１０】図３の１０部拡大図
【図１１】インナーロータ１４の永久磁石の磁気短絡を説明する図
【図１２】電動機を円周方向に展開した模式図
【図１３】インナーロータを固定した場合に作動説明図の（その１）
【図１４】インナーロータを固定した場合に作動説明図の（その２）
【図１５】インナーロータを固定した場合に作動説明図の（その３）
【図１６】アウターロータを固定した場合に作動説明図の（その１）
【図１７】アウターロータを固定した場合に作動説明図の（その２）
【図１８】第２の実施の形態に係る、スペーサの凸部の形状を示す図
【図１９】第３の実施の形態に係る、前記図６に対応する図
【図２０】図１９の２０−２０線断面図
【図２１】図１９の２１−２１線断面図
【図２２】第４の実施の形態に係る、前記図１０に対応する図
【符号の説明】
【００８７】
１２Ｌ    第１ステータ（ステータ）
１２Ｒ    第２ステータ（ステータ）
１３      アウターロータ（第２ロータ）
１４      インナーロータ（第１ロータ）
２１Ｌ    第１電機子
２１Ｒ    第２電機子
３１      ロータボディ
３１ａ    スリット
３８Ｌ    第１誘導磁極
３８Ｒ    第２誘導磁極
５２Ｌ    第１永久磁石
５２Ｒ    第２永久磁石
Ｌ        軸線
Ｐ        所定ピッチ
【図１】
2008220153.tif 000003
【図２】
2008220153.tif 000004
【図３】
2008220153.tif 000005
【図４】
2008220153.tif 000006
【図５】
2008220153.tif 000007
【図６】
2008220153.tif 000008
【図７】
2008220153.tif 000009
【図８】
2008220153.tif 000010
【図９】
2008220153.tif 000011
【図１０】
2008220153.tif 000012
【図１１】
2008220153.tif 000013
【図１２】
2008220153.tif 000014
【図１３】
2008220153.tif 000015
【図１４】
2008220153.tif 000016
【図１５】
2008220153.tif 000017
【図１６】
2008220153.tif 000018
【図１７】
2008220153.tif 000019
【図１８】
2008220153.tif 000020
【図１９】
2008220153.tif 000021
【図２０】
2008220153.tif 000022
【図２１】
2008220153.tif 000023
【図２２】
2008220153.tif 000024